(57)【要約】【課題】簡単な構成で結露を防止することができる画像形成装置を提供する。【解決手段】プリンタ１００は、加熱手段５３を有する装置本体２０と、装置本体２０を包み込むことができる袋体３０と、を備え、装置本体２０が、加熱手段５３から離れた位置に配されて機内の温度情報を検出する温度センサ６１と、結露防止可能な所定温度を記憶する記憶部６２と、温度情報に基づき装置本体２０内部の温度が所定温度に到達した場合に、その旨を使用者に通知する温度到達通知手段６４と、を備え、袋体３０で装置本体２０を包み込んだ状態で装置本体２０を起動するとともに加熱手段５３で該装置本体２０内部を加熱し得るように構成されている。【選択図】図１
2017161762.tif 000002
【特許請求の範囲】
【請求項１】
加熱手段を有する定着装置を備える画像形成装置であって、
前記加熱手段を有する装置本体と、前記装置本体を包み込むことができる袋体と、を備え、
前記装置本体が、前記加熱手段から離れた位置に配されて機内の温度情報を検出する温度センサと、結露防止可能な所定温度を記憶する記憶部と、前記温度情報に基づき前記装置本体内部の温度が前記所定温度に到達した場合に、その旨を使用者に通知する温度到達通知手段と、を備え、
前記袋体で前記装置本体を包み込んだ状態で前記装置本体を起動するとともに前記加熱手段で該装置本体内部を加熱し得るように構成されている
ことを特徴とする画像形成装置。
【請求項２】
前記温度情報に基づく表示情報を表示する表示部を備え、
前記袋体で前記装置本体を包装した状態で、前記袋体のうち、前記表示部を覆う部分が透明であることを特徴とする請求項１に記載の画像形成装置。
【請求項３】
所定時間経過後に前記加熱手段の加熱を終了する省エネモードと、前記省エネモードよりも前記加熱手段の加熱時間を延長する結露防止モードと、の切り替えを制御し、
前記装置本体の起動がその日最初の起動である場合には、前記結露防止モードを選択し、
前記結露防止モードが解除されると、前記省エネモードに切り替える制御部を備えることを特徴とする請求項１又は２に記載の画像形成装置。
【請求項４】
前記制御部が、前記結露防止モードの際には前記加熱手段の温度を、前記省エネモードの際の温度より高い温度に制御することを特徴とする請求項３に記載の画像形成装置。
【請求項５】
前記装置本体が、内部の空気を排気又は吸気するファンを備え、
前記制御部が、前記結露防止モードの際には前記ファンの回転速度を、前記省エネモードの際の速度より速い速度に制御することを特徴とする請求項３又は４に記載の画像形成装置。
【請求項６】
近傍に配された前記袋体の存在を検出する反射センサと、前記反射センサの検出に基づいて前記袋体が存在しないと判断した場合に、前記装置本体が包み込まれていないことを使用者に通知する包装未完了通知手段と、を備えることを特徴とする請求項１から５のいずれか一項に記載の画像形成装置。
【請求項７】
前記装置本体が、載置される面の上に置かれた載置台の上に載置され、前記袋体は前記載置台ごと前記装置本体を包み込めるように構成されていることを特徴とする請求項１から６のいずれか一項に記載の画像形成装置。
【請求項８】
前記装置本体の底面と、これが載置される面との間には隙間が設けられ、
前記隙間を埋める弾性部材を備え、
前記装置本体が、前記袋体で上側から覆うように包装され、前記袋体の開口の縁が前記隙間にたくし込まれて前記弾性部材が配されることを特徴とする請求項１から６のいずれか一項に記載の画像形成装置。
【発明の詳細な説明】
【技術分野】
【０００１】
本発明は、画像形成装置に関する。
【背景技術】
【０００２】
多湿地域においては、冬場の早朝時に複写機などの画像形成装置を起動させる際に、空調の立ち上げなどにより居室内の温度が急速に上昇するのに対して、装置内の温度の上昇は緩やかであるため、その温度差によって装置内に結露が発生することがある。
【０００３】
そこで、結露が発生しやすい箇所に除湿ヒーターを取り付け、夜中に運転させて装置内を暖めることで結露を防ぐ技術が一般的に知られている。また、高温となる定着装置のヒーターを運転させて温湿度を検知し、ファンの駆動を制御しながら機内を暖めることで発生した結露を除去していく技術も知られている（特許文献１参照）。
【発明の概要】
【発明が解決しようとする課題】
【０００４】
しかしながら、上記除湿ヒーターを使用する技術は夜間にも電力が必要であり、夜間に電源ブレーカーが切られると使用することができなかった。さらに、特許文献１に記載の定着装置のヒーターを使用する技術では、ヒーターから離れた場所の機内温度を上げるのに時間が掛かり、既に結露が発生した後であればその結露を解消するのにより時間が掛かっていた。また、ヒーターやファンを制御する必要があり、その制御のために湿度計を用いて湿度を測定する必要があった。
【０００５】
そこで、本発明は、簡単な構成で結露を防止することができる画像形成装置を提供することを目的とする。
【課題を解決するための手段】
【０００６】
上述した課題を解決するために請求項１に係る画像形成装置は、加熱手段を有する定着装置を備える画像形成装置であって、前記加熱手段を有する装置本体と、前記装置本体を包み込むことができる袋体と、を備え、前記装置本体が、前記加熱手段から離れた位置に配されて機内の温度情報を検出する温度センサと、結露防止可能な所定温度を記憶する記憶部と、前記温度情報に基づき前記装置本体内部の温度が前記所定温度に到達した場合に、その旨を使用者に通知する温度到達通知手段と、を備え、前記袋体で前記装置本体を包み込んだ状態で前記装置本体を起動するとともに前記加熱手段で該装置本体内部を加熱し得るように構成されていることを特徴とする。
【発明の効果】
【０００７】
請求項１に記載の画像形成装置によれば、袋体で装置本体を包み込んだ状態で装置本体を起動するとともに加熱手段で該装置本体内部を加熱し得るように構成されていることにより、加熱手段で暖められた空気を袋体内に留めることができるため、装置内の温度を急速に上昇させることができるとともに、袋体外の湿った空気が装置内に流入することを防ぐことができる。従って、除湿用ヒーターや湿度センサを用いることなく、結露の発生を抑制することができる。また、温度情報に基づき装置本体内部の温度が所定温度に到達した場合に、その旨を使用者に通知することができる。
【図面の簡単な説明】
【０００８】
【図１】本発明の一実施形態に係る画像形成装置を示す模式図である。
【図２】前記画像形成装置が備える一例の制御構成を示す機能ブロック図である。
【図３】図２の制御部が行う処理の一例を示すフローチャートである。
【図４】本発明の他の実施形態に係る画像形成装置を示す模式図である。
【図５】本発明の他の実施形態に係る画像形成装置を示す模式図である。
【発明を実施するための形態】
【０００９】
以下、本発明の一実施形態に係る画像形成装置としてのプリンタについて、図１から図５を参照して説明する。図１は、本実施形態に係る画像形成装置としてのプリンタ１００を示す模式図である。まず、図１を用いてプリンタ１００全体の構成及び動作について説明する。
【００１０】
プリンタ１００は、装置本体２０と、装置本体２０の起動の際に装置本体２０を包み込む袋体３０と、を備えている。装置本体２０は、トナー像を生成するための画像形成部１０と、給紙機構４０と、定着装置５０と、制御部６０（図２）と、これらを収容する筐体部８０と、操作部７０と、ファン９０と、を備えている。なお、装置本体２０には、画像を形成する画像形成物質として互いに異なる色のトナー（イエロー、マゼンタ、シアン、ブラック）を用いる４組の画像形成部が備えられているが、トナーの色以外は基本的に同じ構成になっている。そのため、図１においては、いずれか一色の画像形成部１０のみを示す。
【００１１】
画像形成部１０は、その略中央位置に感光体ドラム１を有する。感光体ドラム１の周囲には、感光体ドラム１の表面を所定の電位に帯電させる帯電装置（図示せず）と、帯電されたドラム表面を色分解された画像信号に基づいて露光し、ドラム表面に静電潜像を形成する露光装置２と、ドラム表面に形成された静電潜像にイエロートナーを供給して現像する現像装置３と、現像されたトナー像を記録紙Ｐ上に転写する転写ローラ４と、転写されずにドラム表面に残留した残留トナーを除去するクリーナ（図示せず）と、ドラム表面に残留した電荷を除去する適宜の除電ランプ（図示せず）と、が、感光体ドラム１の回転方向（図１において時計回り方向）に沿って順に配設されている。
【００１２】
上記のうち露光装置２は、装置本体２０内部において、加熱手段５３から離れた位置に配されており、露光装置２の下側（後述する給紙カセット４１側）には、温度センサ６１が設けられており、装置本体２０内部の温度情報を検出し、検出した温度情報を制御部６０に出力する。この温度センサ６１の役割を果たすものとしては、一般的にはサーミスタ等が挙げられる。
【００１３】
給紙機構４０は、給紙カセット４１と、給紙路４２と、を備えている。給紙カセット４１は、図１において画像形成部１０（露光装置２）の下方に配設されている。給紙カセット４１内には、それぞれ、被画像形成媒体としての記録紙Ｐが複数枚重ねられた記録紙束の状態で収容されている。
【００１４】
給紙機構４０から給紙された記録紙Ｐは、給紙路４２に複数設けられた給紙ローラ（図示せず）によって給紙カセット４１の図中右側において鉛直方向（矢印Ｘ方向）に延在するように配設された給紙路４２に向けて搬送され、各色の画像形成部１０によって順次、イエロー、マゼンタ、シアン、ブラックの各色のトナー像がその表面に積層され、未定着のフルカラーのトナー像が形成される。
【００１５】
給紙路４２の画像形成部１０の下流には定着装置５０が配設されている。給紙路４２によって搬送された記録紙Ｐは、給紙路４２から連続して定着装置５０を通って搬送され、定着装置５０を通過する。また、定着装置５０は、記録紙Ｐを搬送方向Ｘ下流側に配された排紙ローラ（図示せず）を介して、筐体部８０に設けられた排紙部８１に排出する。
【００１６】
定着装置５０は、給紙路４２によって搬送された記録紙Ｐ、すなわちその表面上にフルカラーのトナー像が転写された状態の記録紙Ｐを、加熱機構部５１と加圧ローラ５２との間に形成されるニップ部で挟みこみ、記録紙Ｐが通過する際に熱及び圧力を加え、トナー像を記録紙Ｐに定着させるものである。加熱機構部５１は、加熱機構部５１の図示しない定着ベルトを加熱するための加熱手段５３を備えており、この加熱手段５３の役割を果すものとしては、ハロゲンランプ等が挙げられる。加熱手段５３は、制御部６０により、その起動や停止、また温度等が制御されている。
【００１７】
操作部７０は、装置本体２０を起動するための起動ボタン（図示せず）と、装置本体２０を操作するための複数のボタン（図示せず）と、液晶ディスプレイ等で構成された表示部７１と、を備え、各種制御条件を入力するための入力手段としても機能している。操作部７０はプリンタ１００の筐体部８０の外面のユーザ等が操作し易い位置に設置されている。操作部７０の起動ボタンの操作により装置本体２０が起動すると、制御部６０に起動信号が出力される。
【００１８】
表示部７１は、制御部６０からの出力に基づいて、温度センサ６１の温度情報に基づく表示情報を表示する。表示情報とは、例えば、装置本体２０内部の温度（機内温度）や、予め定められた所定温度に到達した旨の表示等が挙げられる。また表示部７１には、後述する省エネモード又は結露防止モード等のモードを表示してもよい。
【００１９】
ファン９０は、筐体部８０内部の空気を排気又は筐体部８０外の空気を吸気することにより、定着装置５０の加熱手段５３で暖められた空気を袋体３０に包装された筐体部８０内（装置本体２０内）に拡散して、装置本体２０内部の温度を均一にする。ファン９０は、制御部６０により、回転の駆動や停止、また回転速度等が制御されている。
【００２０】
袋体３０は、装置本体２０を包み込むことが可能な形状を有する、やわらかく透明な樹脂製の袋体である。袋体３０は、装置本体２０の起動の際に装置本体２０を包み込み、装置本体２０の加熱手段５３で暖められた空気を袋体３０内に留めることにより、装置本体２０内部の温度を急速に上昇させることができる。ここで、湿った空気は装置本体２０を停止した後夜間の間や、朝などの室温が低い状態において空調などの起動により室温が急速に上昇する際に装置本体２０内に流入する。そのため、退室時等のプリンタ１００（装置本体２０）のその日最後の停止時やプリンタ１００のその日最初の起動前に袋体３０で装置本体２０を包装することが好ましい。これにより、袋体３０は袋体３０外の湿った空気を装置本体２０内に流入することを防ぐことができる。
【００２１】
袋体３０は、袋体３０内の暖められた空気を逃がさないように、装置本体２０を包み込んだ後、袋体３０の開口部分をすぼめて紐やゴム等の閉じ具３１で縛るなどして密封されることが好ましい。袋体３０は、装置本体２０内部の暖気後取り外される。
【００２２】
次に、図２を参照して、本実施形態の制御構成を説明する。図２は、本実施形態の制御構成を示す制御ブロック図である。制御部６０は、装置本体２０の各部を制御するものであり、ＣＰＵ（Central  Processing  Unit）やＬＳＩ（Large  Scale  Integration）などにより構成されている。
【００２３】
制御部６０には、温度センサ６１と、記憶部６２と、起動判定手段６３と、温度到達通知手段６４と、タイマ６５と、加熱手段５３と、表示部７１と、ファン９０と、が接続されている。制御部６０は、温度センサ６１から出力された温度情報に基づいて装置本体２０内の機内温度を検出する。また、制御部６０は、検出した機内温度と、記憶部６２に格納された予め設定された後述する所定温度と、を比較して、機内温度が所定温度に到達したか否かを判定する。
【００２４】
また、制御部６０は、加熱手段５３の動作状況を検出し、温度センサ６１の温度情報に基づいて、加熱手段５３の駆動、停止及び温度等の制御を行う。さらに制御部６０は、起動信号が入力されると加熱手段５３を起動させ、加熱を開始する。また、制御部６０は、ファン９０の動作状況を検出し、温度センサ６１の温度情報に基づいて、ファン９０の回転の駆動、停止及び回転速度等の制御を行う。
【００２５】
また、制御部６０は、加熱手段５３の加熱開始から所定時間の経過後に加熱手段５３の加熱を終了する省エネモードと、省エネモードよりも加熱手段５３の加熱時間を延長する結露防止モードと、の切り替え制御を行う。
【００２６】
具体的には、制御部６０は、プリンタ１００の起動がその日最初の起動である場合には、結露防止モードを選択し、結露防止モードが解除されると、結露防止モードから省エネモードへの切り替えを行う。なお、結露防止モードの解除の判定は、使用者の操作部７０の入力操作をもって解除と判定してもよく、装置本体２０内部の温度が所定温度以上となったことにより解除と判定してもよく、また、延長時間の経過により解除と判定してもよい。
【００２７】
記憶部６２は、省エネモード及び結露防止モードに対応した制御プログラム、予め設定された所定温度、省エネモードにおける加熱手段５３の加熱時間及び加熱温度並びにファン９０の回転速度、結露防止モードにおける加熱手段５３の加熱の延長時間及び加熱温度並びにファン９０の回転速度を格納している。ここで、所定温度とは、プリンタ１００が置かれている部屋の平均温度や、装置本体２０内部の温度、湿度、露点及び室温との関係から算出された結露を生じない温度（結露防止可能な所定温度）であり、例えば室温が空調などにより２４℃前後に設定されている場合には、所定温度として２４℃を格納させておく。
【００２８】
また、結露防止モードにおける加熱手段５３の加熱温度は、省エネモードにおける加熱手段５３の加熱温度よりも高温に設定されている。さらに、結露防止モードにおけるファン９０の回転速度は、省エネモードにおけるファン９０の回転速度よりも高速に設定されている。
【００２９】
起動判定手段６３は、制御部６０に起動信号が入力されると、待機時間情報と日時情報を基にその日初めての信号であるか否かを判定する。起動判定手段６３は、その日初めての起動信号であると判定した場合は、制御部６０に、その日初めての起動であることを示す初回起動信号を出力する。
【００３０】
温度到達通知手段６４は、温度情報に基づき機内温度が所定温度に到達したと制御部６０が判断した場合に、その旨を使用者に通知（温度到達通知）する。当該通知は、例えば、表示部７１に、装置本体２０内部の温度が所定温度に到達した旨を表すマークなどを表示させることにより行ってもよく、また、音声などにより行ってもよい。
【００３１】
タイマ６５は、加熱手段５３の加熱が開始されるとカウントを開始し、所定時間の経過後、又は、延長時間の経過後に、時間が経過したことを示す時間経過通知を制御部６０に出力する。
【００３２】
次に、上述した制御部６０が実行する処理の一例を、図３に示すフローチャートを参照して説明する。また、以下では、動作のステップをＳと記載して説明する。なお、プリンタ１００の起動は、やわらかく透明な樹脂製の袋体３０で装置本体２０を包み込んだ状態で行う。
【００３３】
始めに、プリンタ１００に電源が投入され、制御部６０に起動信号が入力される（ステップＳ１０１）。起動信号が入力されると制御部６０は、加熱手段５３を起動し加熱を開始させ（ステップＳ１０２）、ステップＳ１０３に進む。
【００３４】
ステップＳ１０３において制御部６０は、プリンタ１００の起動がその日初めての起動であるか否かを起動判定手段６３に判定させる。プリンタ１００の起動がその日初めての起動でないと起動判定手段６３が判定した場合（ステップＳ１０３でＮＯ）には、制御部６０はステップＳ１１０に進み、省エネモードへ移行させる（ステップＳ１１０）。
【００３５】
一方、プリンタ１００の起動がその日初めての起動であると起動判定手段６３が判定した場合（ステップＳ１０３でＹＥＳ）には、制御部６０は結露防止モードを選択し、加熱手段５３の加熱時間を延長させる（ステップＳ１０４）。
【００３６】
次に、制御部６０は、記憶部６２を参照して、加熱手段５３の温度を結露防止モードにおける加熱手段５３の温度になるよう制御する（ステップＳ１０５）。次に、制御部６０は、記憶部６２を参照して、ファン９０の回転速度を結露防止モードにおけるファン９０の回転速度になるよう制御し（ステップＳ１０６）、ステップＳ１０７に進む。
【００３７】
ステップＳ１０７において制御部６０は、結露防止モードが解除されたか否かを判定する。結露防止モードが解除されたと判定した場合（ステップＳ１０７でＹＥＳ）には、制御部６０は省エネモードへ移行させる（ステップＳ１１０）。一方、結露防止モードが解除されていないと判定した場合（ステップＳ１０７でＮＯ）には、制御部６０はステップＳ１０８に進む。
【００３８】
ステップＳ１０８において制御部６０は、温度センサ６１から出力された温度情報に基づいて検出した機内温度と、記憶部６２に格納された予め設定された所定温度と、を比較して、機内温度が所定温度未満であると判定した場合（ＮＯ）には、ステップＳ１０７に戻る。一方、機内温度が所定温度以上であると判定した場合（ＹＥＳ）には、表示部７１に所定温度に到達したことを示すマークを表示させることにより温度到達通知を行う（ステップＳ１０９）。
【００３９】
次に、制御部６０はステップＳ１１０に進み、省エネモードに移行させ、予め定められた省エネモードにおける加熱時間（所定時間）のカウントをタイマ６５に開始させる（ステップＳ１１１）。次に制御部６０は、所定時間が経過したか否かの判定を行う（ステップＳ１１２）。ステップＳ１１２において制御部６０は、時間経過通知が入力されず、所定時間が経過していないと判定した場合（ＮＯ）には、ステップＳ１１２を繰り返す。一方、時間経過通知の入力により所定時間が経過したと判定した場合（ステップＳ１１２でＹＥＳ）には、ステップＳ１１３に進む。
【００４０】
ステップＳ１１３において制御部６０は、加熱手段５３の駆動を停止させて加熱を終了させてステップＳ１１４に進み、ステップＳ１１４においてファン９０の駆動を停止し、本フローチャートの処理を終了する。
【００４１】
なお、本フローチャートにおいては、所定時間が経過した後に加熱手段５３の駆動を停止し、ファン９０の駆動を停止させる処理としたが、所定時間が経過した後に加熱手段５３の加熱温度をさらに低温とするように制御する処理を行ってもよく、また、ファン９０の回転速度をさらに低速にするように制御する処理を行ってもよい。また、ステップＳ１０９における温度到達通知が行われた際に、使用者は装置本体２０内部の暖気が完了したことを認識することができ、袋体３０は装置本体２０から取り外される。
【００４２】
以上のように、本実施形態に係るプリンタ１００は、装置本体２０が、袋体３０で包み込んだ状態で起動され、加熱手段５３で暖められた空気を袋体３０内に留めることにより、装置本体２０内部の温度を急速に上昇させることができる。また、袋体３０で装置本体２０を包み込んでいるため、袋体３０外の湿った空気が装置内に流入することを防ぐことができる。従って、袋体３０を外した際に、装置本体２０内部の温度が袋体３０外の温度、つまりプリンタ１００が置かれた部屋の室温よりも低いことにより生じる結露の発生を抑制することができる。
【００４３】
また、本実施形態に係るプリンタ１００は、温度センサ６１が、加熱手段５３から離れた位置に配される露光装置２に設けられている。このような構成により、温度センサ６１が配された位置は、装置本体２０内部において温度が低い位置であるため、温度センサ６１が検出する温度を基準とすることにより、装置本体２０内部の平均温度が確実に当該基準値以上の温度となったことを把握することができる。
【００４４】
また、本実施形態に係るプリンタ１００は、予め設定された所定温度を格納する記憶部６２と、温度到達通知手段６４と、を備え、装置本体２０内部の温度が所定温度に到達した際に温度到達通知を行う。このような構成により、袋体３０を外す的確なタイミングを使用者にアナウンスすることができる。
【００４５】
また、本実施形態に係るプリンタ１００は、やわらかく透明な樹脂製の袋体３０と、表示部７１と、を備えている。このような構成により、袋体３０で包装されたまま表示部７１に表示される温度情報に基づく表示情報を確認することができ、当該表示情報に基づいて袋体３０を装置本体２０から外す適切なタイミングを認識することができる。
【００４６】
また、本実施形態に係るプリンタ１００は、プリンタ１００の起動がその日最初の起動である場合には、結露防止モードを選択し、結露防止モードが解除されると、結露防止モードから省エネモードへの切り替えを行う。このような構成により、結露が生じやすいその日最初のプリンタ１００の起動の際に、加熱手段５３の加熱時間を延長させ、装置本体２０内部の温度を効率的に上昇させることができる。従って、結露が生じやすいその日最初のプリンタ１００の起動において、結露の発生をより確実に抑制することができる。また、装置本体２０内部が暖気された後の余分な加熱を防ぐことができるため、電力を削減することができる。
【００４７】
また、本実施形態に係るプリンタ１００は、結露防止モードの際には加熱手段５３の温度を高くする。このような構成により、装置本体２０内部の温度を急速に上昇させることができる。
【００４８】
また、本実施形態に係るプリンタ１００は、結露防止モードの際にはファン９０の回転速度を早くする。このような構成により、定着装置５０の加熱手段５３で暖められた空気を装置本体２０内部により早く拡散し、より早く温度の均一化を図ることができる。
【００４９】
なお、前述した実施形態は本発明の代表的な形態を示したに過ぎず、本発明は、当該実施形態に限定されるものではない。即ち、当業者は、従来公知の知見に従い、本発明の骨子を逸脱しない範囲で種々変形して実施することができる。かかる変形によってもなお本発明の画像形成装置の構成を具備する限り、勿論、本発明の範疇に含まれるものである。
【００５０】
例えば、上記実施形態に係るプリンタ１００は、図２に示すように、制御部６０に接続された反射センサ６６と、装置本体２０が袋体３０に包み込まれていないことを使用者に通知する包装未完了通知手段６７と、を備える構成としてもよい。このような構成により、装置本体２０が袋体３０に包み込まれていない状態で起動された場合であっても、使用者は包装未完了通知によりその旨を知ることができるため、温度差により結露が生じる前に装置本体２０を袋体３０で包装することができる。
【００５１】
反射センサ６６としては、近赤外線センサを挙げることができる。反射センサ６６は、センサ本体に搭載した投光素子より近赤外線（光）を照射し、近赤外線の反射光量に基づいて装置本体２０近傍の袋体３０の存在の有無を検出し、検出信号を制御部６０に出力する。制御部６０は、例えば、プリンタ１００の起動がその日最初であると判定した場合には、反射センサ６６からの検出信号に基づいて袋体３０の存在の有無を判定し、袋体３０が存在しないと判定した場合（装置本体２０が袋体３０に包み込まれていないと判定した場合）には、包装未完了通知手段６７により、装置本体２０が袋体３０に包み込まれていないことを使用者に通知（包装未完了通知）させる。当該通知は、例えば、包装が未完了であることを示す表示を表示部７１に表示させることにより行ってもよく、また、音声により行ってもよい。
【００５２】
また、上記実施形態に係るプリンタ１００は、図４に示すように載置される面の上に載置台８２を置き、当該載置台８２の上に載置される構成としてもよく、この時、袋体３０は、載置台８２ごと装置本体２０を包み込めるように構成されている。このような構成により、装置本体２０の暖気後、取り外した袋体３０を載置台８２の下に敷いたままにしても、袋体３０と装置本体２０との間に載置台８２が配されているため、装置本体２０の下側に設けられた、給紙カセット４１を引き出す際に、袋体３０を巻き込みにくい。載置台８２としては、耐湿性があり、安価で入手しやすい、例えばプラスチックダンボール等が挙げられる。
【００５３】
また、上記実施形態に係るプリンタ１００は、図５に示すように、装置本体２０の底面にキャスター等の足部８３を設け、載置される面と装置本体２０の底面との間に隙間Ｓが設けられるものであってもよい。この場合に袋体３０は、装置本体２０を上側から覆うように包装し、袋体３０の開口の縁は隙間Ｓにたくし込まれる。そして、発泡ポリエチレン材等の弾性部材８４を隙間Ｓに配して装置本体２０の包装を行う。このような構成により、袋体３０による包装及び取り外しを容易に行うことができ、また、袋体３０の開口の縁と装置本体２０との間を弾性部材８４で塞ぐことができるため、暖められた空気の放出を抑制することができ、袋体３０内に暖められた空気を留めることができる。
【００５４】
また、上記実施形態においてプリンタ１００は、装置本体２０内部の温度が所定温度に到達した際に、表示部７１に所定温度に到達したことを示すマークを表示させることにより温度到達通知を行う構成としたが、これに限定されることはなく、温度情報に基づく表示情報、例えば装置本体２０内部の温度を表示部７１に表示させること構成としてもよい。このような構成により、表示された温度に基づいて使用者が袋体３０を取り外すことができる。使用者は、例えば、表示された機内温度がプリンタ１００が置かれている部屋の温度以上となっている場合には、袋体３０を外しても結露が生じないと判断することができ、袋体３０を外すタイミングを自ら判断することができる。また、装置本体２０内部の温度が所定温度に到達した際に表示部７１を用いずに、音声のみによって温度到達通知を行ってもよい。
【００５５】
また、上記実施形態において温度センサ６１は、露光装置２の給紙カセット４１側に設けられる構成としたがこれに限定されることはないが、装置本体２０内部において、結露を防ぎたい位置（装置）に設けられることが好ましく、結露を防ぎたい装置のうち最も温度の低い装置に設けられることがより好ましい。結露を防ぎたい装置とは、給紙路、現像装置、露光装置等が挙げられる。これらの装置で結露が生じると異常画像や搬送不良を引き起こす可能性があるからである。また、最も温度の低い装置とは、例えば、装置本体２０内部において加熱手段５３から最も離れた箇所（装置）等が挙げられる。
【００５６】
また、上記実施形態において袋体３０は、やわらかく透明な樹脂製の袋体であるとの構成としたが、袋体３０で包装した状態で装置本体２０を包装可能なものであれば特に限定されることはない。しかし、袋体３０で包装した状態で装置本体２０を起動する操作を行うこと、表示部７１を視認できること、装置本体２０の形状に沿わせて暖める空間を小さくできること、及び、開口端部を閉じ具３１で閉じることが可能なこと等から、袋体３０は透明度が高く、やわらかい材質のものが好ましく、例えばポリエチレン、ポリプロピレン、ポリエステル、ナイロン等が挙げられる。また、袋体３０のうち装置本体２０の起動ボタンや表示部７１に対応する部分のみを透明とし、その他の部分を有色としてもよい。
【００５７】
また、上記実施形態において制御部６０は、省エネモードと結露防止モードとの切り替えを制御する構成としたが、これに限定されることはない。例えば、省エネモードと結露防止モードとを有さず、装置本体２０内部の温度が所定温度に到達したら温度到達通知を行う構成や、装置本体２０内部の温度を表示部に表示させる構成としてもよい。
【符号の説明】
【００５８】
１００        プリンタ（画像形成装置）
２０          装置本体
３０          袋体
５０          定着装置
５３          加熱手段
６０          制御部
６１          温度センサ
６２          記憶部
６４          温度到達通知手段
６５          反射センサ
６６          包装未完了通知手段
７１          表示部
８２          載置台
８４          弾性部材
９０          ファン
Ｓ            隙間
【先行技術文献】
【特許文献】
【００５９】
【特許文献１】特開２００４−０１３０１５号公報
【図１】
2017161762.tif 000003
【図２】
2017161762.tif 000004
【図３】
2017161762.tif 000005
【図４】
2017161762.tif 000006
【図５】
2017161762.tif 000007